(57)【要約】      （修正有）【課題】少々の風にも負けないバーナー着火の耐風性点火棒を備え、延いては、点火棒の先端開口からの埃塵の侵入を防止すると共に、延長チューブをしっかりと位置決め保持することができる有用な点火棒付きガスライターを提供する。【解決手段】点火棒５内に、ガス噴出ノズルの先端側に突出された延長チューブと、該延長チューブを介して前記ガス噴出ノズルと連通される二次ノズル３ｈと、該二次ノズル３ｈの頂端側に封緘されたノズルプレート４ａと、ノズルプレート４ａを保持するためのオリフィス用ハウジング４ｂと、その上位に組み付けられた混合管４ｃと、該混合管４ｃの上部に同心状に配設された拡散器４ｄと、該拡散器４ｄを囲繞すべく配設された燃焼筒４ｅと、前記二次ノズル３ｈ及び／又は延長チューブを同点火棒５内に位置決め保持するためのノズルホルダー６とを備える。【選択図】 図２
0003136836.tif 000002
【実用新案登録請求の範囲】
【請求項１】
圧電ユニットを押込方向に操作せしめる着火操作子と、該着火操作子の操作に連動されてガス噴出ノズルを開弁方向に動作させる弁操作レバーと、前記ガス噴出ノズルの先端側に連結されてライター本体から遠ざかる方向へ炎口を延出せしめる筒状の点火棒とを備えてなるライターにおいて、前記点火棒内に内燃機構を設けたことを特徴とするライター。
【請求項２】
前記内燃機構は、ガス噴出ノズルの先端側に延長チューブを介して連通される二次ノズルと、該二次ノズルの頂端側に封緘されるノズルプレートと、同ノズルプレートを保持するためのオリフィス用ハウジングと、該オリフィス用ハウジングに組み付けられた混合管と、該混合管と同心状に配設された拡散器と、該拡散器を囲繞すべく配設された燃焼筒と、前記二次ノズル及び／又は延長チューブを同点火棒内に位置決め保持するためのノズルホルダーとを備えてなることを特徴とする請求項１に記載のライター。
【請求項３】
圧電ユニットを押込方向に操作せしめる着火操作子と、該着火操作子の操作に連動されてガス噴出ノズルを開弁方向に動作させる弁操作レバーと、前記ガス噴出ノズルの先端側に連結されてライター本体から遠ざかる方向へ炎口を延出せしめる筒状の点火棒とを備えてなるライターにおいて、
前記点火棒は、ガス噴出ノズルの先端側に延長チューブを介して連通される二次ノズルと、該二次ノズル及び／又は前記延長チューブを同点火棒内に位置決め保持するためのノズルホルダーとを備えたことを特徴とするライター。
【請求項４】
前記ノズルホルダーは、プレミキシングに必要な空気を点火棒の下位から供給する空気供給路を形成せしめることを特徴とする請求項２又は３に記載のライター。
【考案の詳細な説明】
【技術分野】
【０００１】
本考案は、点火棒内に内燃機構を備えたガスライターに関し、更に詳しくは、少々の風にも負けないバーナー着火の耐風性点火棒を備え、点火棒の先端開口からの埃塵の侵入を防止すると共に、二次ノズル及び／又は延長チューブをしっかりと位置決めすることができる有用な点火棒付きガスライターに関する。
【背景技術】
【０００２】
従来、斯かる点火棒付きライターとしては、本体に内設した燃料タンクに、主ガス噴出口となる開口を有する延長チューブ（細筒体）を設けると共に、副ガス噴出口を設けたガス噴出ノズルを設け、このガス噴出ノズルの上方に位置すると共に、上部に炎口を有し、かつ、前記副ガス噴出口から噴出する副ガス噴出域に着火火花を発生させることにより生じた火炎を前記炎口へ火炎伝播させる点火棒（長筒体）を本体に設け、前記延長チューブの開口を点火棒（長筒体）の炎口近傍まで延出させている（例えば、特許文献１参照）。
【特許文献１】実公昭５９−１９５３６９号公報
【考案の開示】
【考案が解決しようとする課題】
【０００３】
しかしながら、上述した従来の点火棒付きガスライターにあっては、ガス噴出ノズルに延長チューブを介してライター本体から遠ざかる方向へ炎口を延出せしめるため、比較的に火力が弱く、少々の風でも簡単に消えてしまうといった問題があり、何回も着火し直さなければならなかった。
【０００４】
また、点火棒の先端側が開口していることから、同点火棒内に埃塵が入り易いといった問題があり、延いては蛍火による火災発生も危惧されている。
【０００５】
更に、点火棒の中には延長チューブが配設されているため、同延長チューブのぐらつきが生じ易く、しっかりと固定できる点火棒付きガスライターが要望されている。
【０００６】
本考案はこのような従来の問題点及び要望に鑑みてなされたもので、少々の風にも負けないバーナー着火の耐風性点火棒を備え、延いては、点火棒の先端開口からの埃塵の侵入を防止すると共に、延長チューブをしっかりと位置決め保持することができる有用な点火棒付きガスライターを提供することを目的としたものである。
【課題を解決するための手段】
【０００７】
上述の如き従来の問題点を解決し、所期の目的を達成するため本考案の要旨とする構成は、圧電ユニットを押込方向に操作せしめる着火操作子と、該着火操作子の操作に連動されてガス噴出ノズルを開弁方向に動作させる弁操作レバーと、前記ガス噴出ノズルの先端側に連結されてライター本体から遠ざかる方向へ炎口を延出せしめる筒状の点火棒とを備えてなるライターにおいて、前記点火棒内に内燃機構を設けてなるライターに存する。
【０００８】
また、前記内燃機構は、ガス噴出ノズルの先端側に延長チューブを介して連通される二次ノズルと、該二次ノズルの頂端側に封緘されるノズルプレートと、同ノズルプレートを保持するためのオリフィス用ハウジングと、該オリフィス用ハウジングに組み付けられた混合管と、該混合管と同心状に配設された拡散器と、該拡散器を囲繞すべく配設された燃焼筒と、前記二次ノズル及び／又は延長チューブを同点火棒内に保持するためのノズルホルダーとを備えるのが良い。
【０００９】
更に、本考案は、圧電ユニットを押込方向に操作せしめる着火操作子と、該着火操作子の操作に連動されてガス噴出ノズルを開弁方向に動作させる弁操作レバーと、前記ガス噴出ノズルの先端側に連結されてライター本体から遠ざかる方向へ炎口を延出せしめる筒状の点火棒とを備えてなるライターにおいて、前記点火棒は、ガス噴出ノズルの先端側に延長チューブを介して連通される二次ノズルと、該二次ノズル及び／又は前記延長チューブを同点火棒内に保持するためのノズルホルダーとを備えてなるライターに存する。
【００１０】
また、前記ノズルホルダーは、プレミキシングに必要な空気を点火棒の下位から供給するための空気供給路を形成せしめるのが良い。
【考案の効果】
【００１１】
本考案は上述のように構成され、前記点火棒内に内燃機構を設けたこと、延いては、前記内燃機構が、ガス噴出ノズルの先端側に延長チューブを介して連通される二次ノズルと、該二次ノズルの頂端側に封緘されるノズルプレートと、同ノズルプレートを保持するためのオリフィス用ハウジングと、該オリフィス用ハウジングに組み付けられた混合管と、該混合管と同心状に配設された拡散器と、該拡散器を囲繞すべく配設された燃焼筒と、前記二次ノズル及び／又は前記延長チューブを同点火棒内に保持するためのノズルホルダーとを備えたことによって、仮令、前記ガス噴出ノズルから遠ざかる位置に炎口を有する点火棒であっても、先端の炎口からバーナー着火が行えるため、少々の風にも負けない耐風性に優れた点火棒付きライターを提供できることとなった。
【００１２】
また、前記点火棒は、ガス噴出ノズルの先端側に延長チューブを介して連通される二次ノズルと、該二次ノズル及び／又は前記延長チューブを同点火棒内に保持するためのノズルホルダーとを備えることによって、前記ガス噴出ノズルと二次ノズルとを連結する延長チューブの取付作業が効率良く、かつ、確実に行えるといった効果を奏する。
【００１３】
更に、前記ノズルホルダーが、プレミキシングに必要な空気を点火棒の下位から供給するための空気供給路を形成せしめたことによって、オリフィス部分を阻害する外部からの塵の侵入を防止することができるといった効果を奏する。
【考案を実施するための最良の形態】
【００１４】
前記点火棒内に、ガス噴出ノズルの先端側に延長チューブを介して連通される二次ノズルと、該二次ノズルの頂端側に封緘されるノズルプレートと、同ノズルプレートを保持するためのオリフィス用ハウジングと、その上位に組み付けられた混合管と、該混合管と同心状に配設された拡散器と、該拡散器を囲繞すべく配設された燃焼筒と、前記二次ノズル及び／又は前記延長チューブを同点火棒内に保持するためのノズルホルダーとを備える。ノズルホルダーは、プレミキシングに必要な空気を点火棒の下位から供給するための空気供給路を確保せしめるのが良い。
【実施例】
【００１５】
次に本考案に係る点火棒付きガスライターの実施の一例を図面を参照しながら説明する。図中Ａは、本考案の点火棒付きガスライターであり、このガスライターＡは、所定大きさのライター本体１と、該ライター本体１内に液化ガスを封入せしめるガスタンク２と、該ガスタンク２の頂部に上蓋を介して組み付けられたバルブ機構３及び内燃機構４と、ライター本体１の頂部に突出された点火棒５とを備えている。
【００１６】
バルブ機構３は、筒蓋状のノズル螺旋３ａと、該ノズル螺旋３ｂの下方開口部に嵌合された有底筒状のノズル底栓体３ｂとで内部に弁室（図示せず）を形成しているもので、この弁室内には、Ｏリング、スプリングを介してガス噴出ノズル３ｃが上端を前記ノズル螺旋３ａの開口より外方へ突出すべく装着されている。
【００１７】
更に、ノズル底栓体３ｂの底面には、モルト等のフィルター３ｄ並びに釘状固定子３ｅ等を介して液化ガス吸上部材３ｆが装着されている。この液化ガス吸上部材３ｆは、上端がノズル底栓体３ｂ内に連結支持され下端が前記ガスタンク２内に延出すべく組み付けられたチューブ管からなり、必要に応じて中に焼結芯等を充填させても良い。
【００１８】
釘状固定子３ｅは、着火によりガスタンク２内の気化熱が奪われるのを阻止するものであり、上端側が前記フィルター３ｄの底面に接触し下端側が液化ガス吸上部材３ｅ内に延出するように形成されている。
【００１９】
また、前記ガス噴出ノズル３ａの上位には、延長チューブ３ｇが連結されている。この延長チューブ３ｇは、点火棒５の長手方向に沿って挿着されており、下端側がガス噴出ノズル３ｃの先端に連通され、上端に二次ノズル３ｈが連結されている。
【００２０】
二次ノズル３ｈは、ノズルホルダー６を介して点火棒５の径方向中心に位置すべく保持されており、軸心方向に導線７が配設されている。
【００２１】
ノズルホルダー６は、二次ノズル３ｈ及び前記延長チューブ３ｇを点火棒５内に位置決め保持するためのものであり、点火棒５に内設されたセラミック製又はナイロン製のバーナーパイプホルダー８と点火棒ホルダー９とで狭持状態に位置決めされている。
【００２２】
また、このノズルホルダー６は、点火棒５内に介在されることで、プレミキシングに必要な空気を点火棒５の下位から内燃機構４へ供給せしめる空気供給路１０を確保せしめている。
【００２３】
他方、内燃機構４は、二次ノズル３ｈの頂端に封緘されたノズルプレート４ａと、同ノズルプレート４ａを保持するためのオリフィス用ハウジング４ｂと、その上位に組み付けられた混合管４ｃと、該混合管４ｃと同心状に配設された拡散器４ｄと、該拡散器４ｄを囲繞すべく配設された燃焼筒４ｅとを備えている。
【００２４】
前記混合管４ｃ及び燃焼筒４ｅは、点火棒５を構成する前記バーナーパイプホルダー８に支持されており、前記ノズルホルダー６と協働して内燃機構４を安定的に保持している。
【００２５】
点火棒５は、金属製の筒体からなり、先端側に燃焼筒冷却用空気孔５ａが等間隔で周設されるていると共に、頂部に炎口５ｂが開口されている。また、点火棒５の内周面には、例えば、セラミック製又はナイロン製のバーナーパイプホルダー８と点火棒ホルダー９とが内装されており、着火時に点火棒５そのものが熱くならないように工夫されている。
【００２６】
圧電ユニット１１は、上下方向に伸縮するように相互に嵌め合わされた透明なポリカーボネート樹脂からなる外箱１１ａと内箱１１ｂとを有し、その間にはハンマースプリング、ハンマー、復帰スプリング、ヒッティング、圧電素子等からなる打撃機構が組み付けられている。
【００２７】
また、圧電ユニット１１には、前記金属棒５と電気的に接続される導電体１１ｃが配設されおり、後述する着火操作子１２の操作により同圧電ユニット１１の内箱１１ｂが完全に押し込み動作された際に、打撃機構が働き導電体１１にて金属棒５に通電され燃焼筒４ｅ内に向けて火花放電(スパーク)されることとなる。
【００２８】
着火操作子１２は、圧電ユニット１１の上位に組み付けされており、着火操作子１２の押し込み動作によって自動的にガス噴出ノズル３ｃの弁が開かれると共に、瞬時に放電端子(図示せず)から火花放電が発生し前記内燃機構４を介してバーナー着火がなされるように組み付けされている。
【００２９】
弁操作レバー１３は、導電性材料によって成形されており、先端１３ａ側がガス噴出ノズル３ｃの頸部に係止され、後端１３ｂ側が前記着火操作子１２にて押し込まれるべく配設されている。
【００３０】
このように構成されるピエゾライターは、着火操作子１２を押込操作することによって、圧電ユニット１１の動作部（内箱１１ｂ）が押し下げられると共に弁操作レバー１３を押し込むべく作動して同レバー１３の先端１３ａ側を開弁方向に動作せしめバルブ機構３を開き方向に動作させて前記ガス噴出ノズル３ｃからガスを噴出させると共に、前記圧電ユニット１１が完全に押し込み動作されて打撃機構が働き、ハンマースプリング、アースを介して通電回路が得られ、導電体１１ｃを介して点火棒５内の放電端子(図示せず)と燃焼筒４ｅ内にある拡散器４ｄの頂部との間に高電圧差が発生し、前記噴出ガスに火花放電（スパーク）によって点火棒５の炎口５ｂからバーナー状の火炎に着火することができる。
【００３１】
尚、本考案の点火棒付きライターは本実施例に限定されることなく、本考案の目的の範囲内で自由に設計変更し得るものであり、本考案はそれらの全てを包摂するものである。
【図面の簡単な説明】
【００３２】
【図１】本考案に係る点火棒付きライターの縦断面図である。
【図２】本実施例で使用する点火棒の要部を示す縦断面図である。
【図３】本実施例で使用する点火棒の先端側を示す説明図である。
【図４】本実施例で使用する点火棒のI−I線断面図である。
【図５】本実施例で使用する点火棒の頂部端面図である。
【符号の説明】
【００３３】
１  ライター本体
２  ガスタンク
３  バルブ機構
３ａ  ノズル螺旋
３ｂ  ノズル底栓体
３ｃ  ガス噴出ノズル
３ｄ  フィルター
３ｅ  釘状固定子
３ｆ  液化ガス吸上部材
３ｇ  延長チューブ
３ｈ  二次ノズル
４  内燃機構
４ａ  ノズルプレート
４ｂ  オリフィス用ハウジング
４ｃ  混合管
４ｄ  拡散器
４ｅ  燃焼筒
５  点火棒
５ａ  燃焼筒冷却用空気孔
５ｂ  炎口
６  ノズルホルダー
７  導線
８  バーナーパイプホルダー
９  点火棒ホルダー
１０  空気供給路
１１  圧電ユニット
11ａ  外箱
11ｂ  内箱
11ｃ  導電体
１２  着火操作子
１３  弁操作レバー
13ａ  先端
13ｂ  下端
１４  加熱触媒
【図１】
0003136836.tif 000003
【図２】
0003136836.tif 000004
【図３】
0003136836.tif 000005
【図４】
0003136836.tif 000006
【図５】
0003136836.tif 000007